(57)【要約】【課題】髪を梳かしたり、髪を整えたりするときに違和感が生じることがなく、しかも加熱して形状を変えるためのヘアドライやなどの機器を用いることなくヘアアレンジを自由に楽しむことができるとともに、製造コストを抑えることができる人形玩具の頭髪構造を提供すること。【解決手段】塑性変形部材ではない毛髪部材ａと、該毛髪部材ａよりも太い少なくとも１本の線材状の塑性変形部材ｂとから構成される人形玩具の頭髪構造であって、上記毛髪部材ａの一部をまとめて髪束２を形成し、該髪束２の内部には上記塑性変形部材ｂを外部から視認できないように編み込んだ。【選択図】図１
0003149385.tif 000002
【実用新案登録請求の範囲】
【請求項１】
塑性変形部材ではない毛髪部材と、該毛髪部材よりも太い少なくとも１本の線材状の塑性変形部材とから構成される人形玩具の頭髪構造であって、上記毛髪部材の一部をまとめて髪束を形成し、該髪束の内部には上記塑性変形部材が外部から視認できないように編み込まれていることを特徴とする人形玩具の頭髪構造。
【考案の詳細な説明】
【技術分野】
【０００１】
本考案は、人形玩具の頭髪構造、詳しくは塑性変形部材ではない毛髪部材と線材状の塑性変形部材とから構成される人形玩具の頭髪構造に関するものである。
【背景技術】
【０００２】
従来、人形玩具の頭髪のスタイルを変えて遊ぶ人形遊びが女児に広く受け入れられ、そのための人形玩具が本出願人から提案されている（例えば、特許文献１）。この人形玩具は、毛髪部材を形状記憶部材とナイロンなどの素材で形成された髪部材との２部材で人形玩具の頭髪を構成したもので、上記形状記憶部材は予め高温相でカール状の形状を記憶させたものを低温相下で真っ直ぐに延ばして人形頭部に植設したもので、ヘアドライヤーなどで毛髪部材を加温すると形状記憶部材がカール状になり周囲の髪部材を巻き込んで頭髪全体にカールが掛かった状態にすることができるようにしたものである。
【０００３】
また、頭髪部材全体を形状記憶部材で構成した人形玩具も提案されている（例えば、特許文献２）。この人形玩具は、形状記憶部材（形状記憶型合金）を毛髪状に細長く形成して頭髪を構成したもので、予めカールさせた状態で形状を記憶させておき、櫛などで伸直状態に塑性変形を与えたのちヘアドライヤーで加温するとカールした原型に戻すことができるようにしたものである。
【先行技術文献】
【特許文献】
【０００４】
【特許文献１】実開昭６２−１３７０８６号公報
【特許文献２】実開昭５８−７４９９１号公報
【考案の概要】
【考案が解決しようとする課題】
【０００５】
本考案が解決しようとする問題点は、前者の人形玩具の頭髪構造は、形状記憶部材と髪部材との２部材を混在させて頭部に植設したもので、頭髪が素材の異なる２種類で構成されるため、髪を梳かす際に異なる感触になり髪部材だけで構成された頭髪とは違和感が生じる問題があり、後者の人形玩具の頭髪構造は、頭髪全体を形状記憶部材で構成したことにより髪質は均一になるが、頭髪全体が形状記憶部材から構成されているために、髪を梳いてもカール状態から伸直状態に整えにくく、形状記憶部材でできていない毛髪部材に比べて繰り返しの変形によって頭髪全体がぼさぼさになってしまう問題があった。
【０００６】
また、何れの頭髪構造においても形状記憶部材を毛髪に擬態させるためには素材を細く仕上げなければならず、毛髪のさらさら感を維持するためには形状記憶部材としての耐久性も劣らざるを得なかった。さらに、形状を変えるためにはドライヤーなどで加熱する必要があるうえ、変化後の髪形が決められた髪形にしかならない問題や、多くの形状記憶部材を必要とするため製造コストが上昇する問題があった。
【０００７】
本考案は、上記問題点を解決し、髪を梳かしたり、髪を整えたりするときに違和感が生じることがなく、しかも加熱して形状を変えるためのヘアドライヤーなどの機器を用いることなくヘアアレンジを自由に楽しむことができるとともに、製造コストを抑えることができる人形玩具の頭髪構造を提供することを課題とする。
【課題を解決するための手段】
【０００８】
前記課題を解決するために本考案に係る人形玩具の頭髪構造は、塑性変形部材ではない毛髪部材と、該毛髪部材よりも太い少なくとも１本の線材状の塑性変形部材とから構成される人形玩具の頭髪構造であって、上記毛髪部材の一部をまとめて髪束を形成し、該髪束の内部には上記塑性変形部材が外部から視認できないように編み込まれていることを特徴とする。
【考案の効果】
【０００９】
請求項１の考案によれば、塑性変形部材は頭部の一部に取り付けた上、他の毛髪部材を纏めた髪束の中に織り込まれているので、頭髪を梳かす時に髪束以外の同一素材の塑性変形部材ではない毛髪部材のみを梳かすことになるので違和感なく自然な整髪ができる。そして、頭髪をヘアアレンジしたときには、ヘアアクセサリーなどを用いることなく塑性変形部材が編み込まれた髪束で毛髪部材のヘアアレンジを維持することができ、低年齢の子供も遊ぶことができる人形玩具の髪型構造を実現することができる。
【００１０】
しかも、塑性変形部材は毛髪部材よりも太くしたために耐久性も向上し、毛髪部材をまとめた髪束の中に編み込んだので、外観状の違和感もなく、頭髪全体に配置する必要がない上に、毛髪部材に擬態させる必要もないため、塑性変形部材を毛髪用に細くしたり、人形の髪の色に合わせて着色したりする処理が不要であるから、製造上のコストも低く抑えられ製造側にとっても有効であるとともに、従来の形状記憶部材を頭髪に用いた頭髪構造の場合は、予め記憶しているウェーブ状の髪型と自然なストレートの髪型とに可逆的に変化するものであるのに対し、本考案では塑性変形可能な素材を用いることによりユーザーの意思を反映させて自由にヘアアレンジができる人形玩具の髪型構造を提供することができる。
【図面の簡単な説明】
【００１１】
【図１】本考案に係る人形玩具の髪型構造を適用した人形玩具を説明する斜視図
【図２】塑性変形部材の頭部への取付構造の一例を説明する頭部の断面図
【図３】髪束の一例を示す説明図
【図４】ヘアアレンジの過程の説明図
【図５】ヘアアレンジの過程の説明図
【図６】ヘアアレンジの過程の説明図
【図７】ヘアアレンジの他の例を説明する斜視図
【考案を実施するための形態】
【００１２】
図１は、本考案に係る人形玩具の髪型構造を適用した人形玩具Ａを示し、この人形玩具Ａは髪の毛全体が樹脂性の毛髪部材（例えば、旭化成の商品名「サラン」）ａで構成されるとともに、頭部１の両側の毛髪部材ａの一部を纏めて髪束２を形成し、この髪束２の中に塑性変形部材ｂを編み込んで頭髪全体が構成されているものである。
【００１３】
上記塑性変形部材ｂは、金属針金のように容易に変形させることができ、その変形を持続できるようにした塑性変形可能な素材を線材状にしたもの（例えば、三井化学の商品名「テクノロート」）を用いればよい。なお、本考案の場合、後述するように塑性変形部材ｂは外部から視認できなくなるため、必ずしも塑性変形部材ｂを毛髪に擬態（色や太さや硬さ）させる必要はないし、塑性変形可能であれば金属針金を素材として用いてもよい。
【００１４】
上記塑性変形部材ｂは、図２に示すように、頭部１の両側に形成した孔３から２本の塑性変形部材ｂの先端をそれぞれ差し込み、差し込んだ部分に抜け止め処理（例えば、塑性変形部材ｂの先端を貫通孔が形成された抜け止め部材４を貫通させて結ぶ）を施して頭部１から抜けないように取り付け、上記毛髪部材ａは上記塑性変形部材ｂを頭部１に取り付けた後、公知の植毛ミシンなどを用いて頭部１に植毛して頭髪全体を形成すれはよい。
【００１５】
そして、塑性変形部材ｂの近傍の毛髪部材ａを８本程度ずつ束ねて、３つの髪束２ａ、２ｂ、２ｃを作成し、作成した３つの髪束２ａ、２ｂ、２ｃを束ねて髪束（例えば、三つ編み）２を作成するが、この際、髪束２ａ、２ｂ、２ｃの中の一つの髪束（例えば髪束２ａ）の中に塑性変形部材ｂが外部から視認できないように周りから包むように一緒にして編み込んで髪束２を形成すればよい（図３参照）。
【００１６】
上記髪形構造を適用した人形玩具Ａでヘアアレンジをして遊ぶ場合は、図示しない櫛やヘアブラシを模して形成された整髪玩具で毛髪部材ａを梳かした後、図４に示すように、右頭部にある約半分の量の毛髪部材ａを纏めて髪束３にして片方の手で摘み、もう一方の手で塑性変形部材ｂが織り込まれている髪束２を摘んで、図５に示すように、髪束３の根元近傍に髪束２をくるくると巻きつけ、最後まで巻きつけると、図６示すように、髪束２で髪束３を纏めたヘアアレンジができる。同様に左頭部の毛髪部材ａを髪束２で巻けば、所謂ツインテールと呼ばれるヘアスタイルにすることができる。
【００１７】
そして、髪束２の中には金属針金と同様に折り曲げればその状態を維持することができる塑性変形部材ｂが織り込まれているので、一旦巻きつけた髪束２はその形状を維持でき、リボンなどのヘアアクセサリーを使用することなくヘアアレンジができる。しかも、髪束を巻きつけた形状を記憶させるためにヘアドライヤなどで熱を加える必要がなく簡単にヘアアレンジを楽しむことができる。
【００１８】
また、図７に示すように、髪束２で毛髪部材ａを束ねることなく髪束２だけをアレンジしてヘアスタイルを作ることができるので、毛髪部材ａを束ねてヘアアレンジをしたり、髪束２だけで自由な形を作ってヘアアレンジをしたり、様々なヘアアレンジを楽しむことができる。
【００１９】
上述したように、毛髪部材ａの一部と塑性変形部材ｂとで髪束２を形成し、この髪束２を自由に変形させることにより様々なヘアアレンジを楽しむことができ、従来の形状記憶部材を毛髪部材として使用した髪型構造とは異なり、少ない塑性変形部材で済むので製造上のコスト低減を図ることができる。
【００２０】
しかも、塑性変形部材は髪梳きに関係のない髪束に組み込まれているだけで、他の毛髪部材には異なる性質の塑性変形部材を混在させていないので、髪を梳くときに塑性変形部材の手触りの悪さを感じることがなく、自然な髪の感触が得られる。
【００２１】
また、髪束２が髪を束ねるゴムやリボン、ヘアクリップなどのヘアアクセサリーの機能を備えているので、別途ヘアアクセサリーを用意する必要がなく低年齢の子供でもヘアアレンジを楽しむことができる。
【符号の説明】
【００２２】
１    頭部
２    髪束
ａ    毛髪部材
ｂ    塑性変形部材
【図１】
0003149385.tif 000003
【図２】
0003149385.tif 000004
【図３】
0003149385.tif 000005
【図４】
0003149385.tif 000006
【図５】
0003149385.tif 000007
【図６】
0003149385.tif 000008
【図７】
0003149385.tif 000009